(57)【特許請求の範囲】
【請求項１】
（ａ）複数の入力キーを押しながら電源が遮断されたかどうかを判断する手段と、
（ｂ）複数の入力キーを押しながら電源が遮断された場合、タッチスクリーンタイプの端末操作の場合は前記各入力キーの押下位置の座標を利用し、キーボードを備えた端末装置の場合は押された入力キーに対応するコードを利用してクイック起動値を更新する手段と、
（ｃ）複数の入力キーを押しながら電源が投入されたかどうかを判断する手段と、
（ｄ）複数の入力キーを押しながら電源が投入された場合、電源遮断フラグが、端末装置が正しく操作されたことを表す値であるかどうかを判断する手段と、
（ｅ）前記電源遮断フラグが、端末装置が正しく操作されたことを表す値でない場合、前記各入力キーによって表される数字と前記クイック起動値とが一致するかどうかの判断を行わず、前記電源遮断フラグが、端末装置が正しく操作されたことを表す値である場合、電源遮断フラグを、端末装置が正しく操作されたことを表さない値にする手段と、
（ｆ）前記各入力キーによって表される数字と前記クイック起動値とが一致するかどうかを判断する手段と、
（ｇ）前記各入力キーによって表される数字と前記クイック起動値とが一致する場合、端末装置が正しく操作されたことを表さない値にされた電源遮断フラグを、端末装置が正しく操作されたことを表す値にする手段と、
（ｈ）前記電源遮断フラグが、端末装置が正しく操作されたことを表す値であり、前記各入力キーによって表される数字と前記クイック起動値とが一致すると判断されたときに、端末装置を起動する手段とを有することを特徴とする端末装置。
【請求項２】
タッチスクリーンタイプの端末操作の場合の前記入力キーはタッチスクリーンに形成された起動用ポイントである請求項１に記載の端末装置。
【発明の詳細な説明】
【０００１】
【発明の属する技術分野】
本発明は、端末装置に関するものである。
【０００２】
【従来の技術】
従来、端末装置としての携帯端末には、入力装置として、タッチスクリーンだけを備えたタッチスクリーンタイプの携帯端末、並びにタッチスクリーン及びキーボードうちの少なくともキーボードを備えたキーボードタイプの携帯端末がある。
【０００３】
ところで、前記携帯端末は、ＲＡＭに格納された各種のデータを他人に知られないように暗証番号機能を備え、該暗証番号機能によって所定の桁（けた）数の符号、例えば、数字から成る暗証番号を設定し、登録することができるようになっている。この場合、暗証番号が登録されると、携帯端末の電源を投入したときに、暗証番号の数字を入力しないと、携帯端末を起動することができない。
【０００４】
次に、暗証番号を登録するための暗証番号登録方法について説明する。
【０００５】
図２は従来のタッチスクリーンタイプの携帯端末の暗証番号登録画面の例を示す図である。
【０００６】
図において、ａは暗証番号にするために入力された符号、例えば、数字を表示する欄、ｂは確認のために再入力された数字を表示する欄、ｃは入力キーとしての「０」〜「９」の１０個の数字キー及びＥｎｔｅｒキーを表示する欄、ｄは電源を投入する際に、暗証番号機能を有効にするかどうかを設定するための欄である。欄ｄには、「起動時に暗証番号を入力」の表示がされるとともに、暗証番号機能が有効であることを表すチェック記号（レ点）を表示するためのボックスが形成される。
【０００７】
前記構成のタッチスクリーンタイプの携帯端末において、まず、操作者が、前記数字キーを押して所定の桁数（一般に４桁程度）の数字を入力すると、入力された数字が欄ａに表示される。続いて、操作者が、確認のために、前記数字キーを押して欄ａに表示された数字と同じ数字を入力すると、入力された数字が欄ｂに表示される。このとき、欄ａ及びｂに表示された数字が異なる場合、操作者は再び最初から同じ操作を行う。
【０００８】
続いて、操作者が欄ｄのボックスを押すと、ボックスにチェック記号が表示され、欄ａ及びｂに表示された同じ数字が暗証番号として登録される。このとき、該暗証番号は図示されないＲＡＭに格納されるとともに、暗証番号機能が有効にされる。
【０００９】
そのために、ＲＡＭには、暗証番号値及び暗証番号設定フラグを記憶するための領域が形成され、暗証番号値として、登録された暗証番号がＡＳＣＩＩコードで記憶されるとともに、暗証番号設定フラグとして、前記欄ｄのボックスにチェック記号が表示されていれば「１」が、チェック記号が表示されていなければ「０」が記憶される。
【００１０】
図３は従来のキーボードタイプの携帯端末の暗証番号登録画面の例を示す図である。
【００１１】
図において、ａ１は暗証番号にするために入力された数字を表示する欄、ｂ１は確認のために再入力された数字を表示する欄、ｄ１は電源を投入する際に、暗証番号機能を有効にするかどうかを設定するための欄である。欄ｄ１には、「起動時に暗証番号を入力」の表示がされるとともに、暗証番号機能が有効であることを表すチェック記号を表示するためのボックスが形成される。
【００１２】
この場合、図示されないキーボードが使用され、該キーボードは、入力キーとして、数字を入力するための数字キー及び暗証番号機能を有効にするためのＥｎｔｅｒキーを備える。
【００１３】
次に、携帯端末の電源を投入する際に暗証番号の数字を入力する方法について説明する。
【００１４】
図４は従来のタッチスクリーンタイプの携帯端末の暗証番号入力画面の例を示す図、図５は従来のタッチスクリーンタイプの携帯端末の暗証番号を入力する際の動作を示すフローチャートである。
【００１５】
図において、ｅは入力された暗証番号の数字を表示する欄、ｃは入力キーとしての「０」〜「９」の１０個の数字キー及びＥｎｔｅｒキーを表示する欄である。
【００１６】
暗証番号の数字を入力するに当たり、操作者が図示されない電源スイッチをオンにして電源を投入すると、図示されないＣＰＵは、ＲＡＭに格納された暗証番号設定フラグを読み出し、暗証番号設定フラグが「１」であるか「０」であるかを判断する。そして、暗証番号設定フラグが「１」である場合、暗証番号機能が有効にされているので、ＣＰＵはタッチスクリーンに暗証番号入力画面を表示する。
【００１７】
続いて、操作者が、数字キーを押して暗証番号の数字を入力すると、ＣＰＵは、ＲＡＭから暗証番号値を読み出し、該暗証番号値に基づいて入力された数字とあらかじめ登録された暗証番号とが一致するかどうか、すなわち、暗証番号が正しいかどうかを判断する。暗証番号が正しい場合、ＣＰＵは、タッチスクリーンに暗証番号入力画面の前の画面を表示し、携帯端末を起動する。一方、暗証番号が正しくない場合、ＣＰＵは、タッチスクリーンに暗証番号入力画面を再び表示する。なお、電源スイッチをオンにして電源を投入したときに、ＲＡＭからＣＰＵが読み出した暗証番号設定フラグが「０」である場合、暗証番号機能が有効にされていないので、ＣＰＵは、タッチスクリーンに暗証番号入力画面の前の画面を表示する。
【００１８】
次に、フローチャートについて説明する。
ステップＳ１  暗証番号設定フラグが１であるかどうかを判断する。暗証番号設定フラグが１である場合はステップＳ２に、１でない場合はステップＳ４に進む。
ステップＳ２  暗証番号入力画面を表示する。
ステップＳ３  暗証番号が正しいかどうかを判断する。暗証番号が正しい場合はステップＳ４に進み、正しくない場合はステップＳ２に戻る。
ステップＳ４  暗証番号入力画面の前の画面を表示する。
【００１９】
図６は従来のキーボードタイプの携帯端末の暗証番号入力画面の例を示す図である。
【００２０】
図において、ｅ１は入力された暗証番号の数字を表示する欄である。この場合、数字を入力するために図示されないキーボードが使用される。
【００２１】
【発明が解決しようとする課題】
しかしながら、前記従来の携帯端末においては、電力の消費量を少なくするために、頻繁に電源を遮断する必要がある場合、電源を投入するたびに数字キーを押して暗証番号の数字を入力する必要が生じるだけでなく、電源を投入してから携帯端末が起動されるまでに時間がかかるので、操作性が悪い。
【００２２】
本発明は、前記従来の携帯端末の問題点を解決して、操作性を良くすることができる端末装置を提供することを目的とする。
【００２３】
【課題を解決するための手段】
そのために、本発明の端末装置においては、複数の入力キーを押しながら電源が遮断されたかどうかを判断する手段と、複数の入力キーを押しながら電源が遮断された場合、タッチスクリーンタイプの端末操作の場合は前記各入力キーの押下位置の座標を利用し、キーボードを備えた端末装置の場合は押された入力キーに対応するコードを利用してクイック起動値を更新する手段と、複数の入力キーを押しながら電源が投入されたかどうかを判断する手段と、複数の入力キーを押しながら電源が投入された場合、電源遮断フラグが、端末装置が正しく操作されたことを表す値であるかどうかを判断する手段と、前記電源遮断フラグが、端末装置が正しく操作されたことを表す値でない場合、前記各入力キーによって表される数字と前記クイック起動値とが一致するかどうかの判断を行わず、前記電源遮断フラグが、端末装置が正しく操作されたことを表す値である場合、電源遮断フラグを、端末装置が正しく操作されたことを表さない値にする手段と、前記各入力キーによって表される数字と前記クイック起動値とが一致するかどうかを判断する手段と、前記各入力キーによって表される数字と前記クイック起動値とが一致する場合、端末装置が正しく操作されたことを表さない値にされた電源遮断フラグを、端末装置が正しく操作されたことを表す値にする手段と、前記電源遮断フラグが、端末装置が正しく操作されたことを表す値であり、前記各入力キーによって表される数字と前記クイック起動値とが一致すると判断されたときに、端末装置を起動する手段とを有する。
【００２４】
【発明の実施の形態】
以下、本発明の実施の形態について図面を参照しながら詳細に説明する。なお、この場合、端末装置としての携帯端末について説明する。
【００２５】
図７は本発明の第１の実施の形態における携帯端末のブロック図である。
【００２６】
図において、１１は制御装置としてのマイクロコンピュータであり、該マイクロコンピュータ１１は、図示されないＣＰＵ、ＬＣＤコントローラ、メモリコントローラ、タイマ、割込コントローラ、タッチスクリーンコントローラ等から成り、シングルチップで形成される。該マイクロコンピュータ１１には、プログラムが格納されたＲＯＭ１２、ワーク用メモリ又はデータ保存用メモリとして使用される記憶装置としてのＲＡＭ１３、第１の入力装置としてのタッチスクリーン１６、表示装置としてのＬＣＤ１７、第２の入力装置としてのキーボード２１、電源１４及び電源スイッチ２２が接続され、該電源スイッチ２２を操作者がオン・オフさせるとマイクロコンピュータ１１からの指示に従って前記電源１４が投入されたり遮断されたりする。なお、前記タッチスクリーン１６とＬＣＤ１７とは一体に形成される。また、前記電源１４は、電池１５の電圧を変換して必要な電源電圧にし、該電源電圧を携帯端末の各要素に印加する。
【００２７】
一般に、前記タッチスクリーン１６としては、抵抗皮膜方式のタッチスクリーンが使用され、該抵抗皮膜方式のタッチスクリーンにおいては、タッチスクリーン上の押下位置がＸＹ座標に変換され、ＸＹ座標が前記ＣＰＵに送られるようになっている。タッチスクリーン１６の分解能は、マイクロコンピュータ１１内のタッチスクリーンコントローラに使用されるアナログ／ディジタルコンバータ（ＡＤＣ）の性能に依存し、例えば、アナログ／ディジタルコンバータの性能が１０〔ｂｉｔ〕である場合、ＸＹ座標は（０〜１０２３，０〜１０２３）になる。なお、原点（０，０）は、ＬＣＤ１７上の位置と絶対位置との対応がとれていれば、どこにでも設定することができる。また、一般に、前記キーボード２１としてはスキャンマトリックス方式のキーボードが使用される。
【００２８】
次に、暗証番号を登録するための暗証番号登録方法について説明する。
【００２９】
図１は本発明の第１の実施の形態におけるタッチスクリーンタイプの携帯端末の暗証番号登録画面の例を示す図、図８は本発明の第１の実施の形態におけるタッチスクリーンタイプの携帯端末のクイック起動設定画面の例を示す図、図９は本発明の第１の実施の形態におけるタッチスクリーンタイプの携帯端末の暗証番号を入力する際の動作を示すフローチャートである。
【００３０】
図において、ａは暗証番号にするために入力された符号、例えば、数字を表示する欄、ｂは確認のために再入力された数字を表示する欄、ｃは入力キーとしての「０」〜「９」の１０個の数字キー及びＥｎｔｅｒキーを表示する欄、ｄは暗証番号機能を有効にするかどうかを設定するための欄、ｇはクイック起動機能を有効にするかどうかを設定するための欄である。そして、欄ｄには、「起動時に暗証番号を入力」の表示がされるとともに、暗証番号機能が有効であることを表すチェック記号（レ点）を表示するためのボックスが形成される。また、欄ｇには、「暗証入力にクイック起動を使用」の表示がされるとともに、クイック起動機能が有効であることを表すチェック記号を表示するためのボックスが形成される。
【００３１】
前記構成のタッチスクリーンタイプの携帯端末において、まず、操作者が、暗証番号登録画面の欄ｃの数字キーを押して所定の桁数（一般に４桁程度）の数字を入力すると、入力された数字が欄ａに表示される。続いて、操作者が、確認のために、前記数字キーを押して欄ａに表示された数字と同じ数字を入力すると、入力された数字が欄ｂに表示される。このとき、欄ａ及びｂに表示された数字が異なる場合、操作者は再び最初から同じ操作を行う。
【００３２】
続いて、操作者が欄ｄのボックスを押すと、ボックスにチェック記号が表示され、欄ａ及びｂに表示された同じ数字が暗証番号として登録される。このとき、該暗証番号はＲＡＭ１３（図７）に格納されるとともに、暗証番号機能が有効にされる。
【００３３】
そのために、ＲＡＭ１３には、暗証番号値及び暗証番号設定フラグを記憶するための領域が形成され、暗証番号値として、登録された暗証番号がＡＳＣＩＩコードで記憶されるとともに、暗証番号設定フラグとして、前記欄ｄのボックスにチェック記号が表示されていれば「１」が、チェック記号が表示されていなければ「０」が記憶される。
【００３４】
また、操作者が欄ｇのボックスを押すと、ボックスにチェック記号が表示され、クイック起動機能が有効にされる。そのために、前記ＲＡＭ１３には、クイック起動値及びクイック起動設定フラグを記憶するための領域が形成され、クイック起動値として、起動用ポイント「１」〜「１６」を表す数字が記憶され、クイック起動設定フラグとして、前記欄ｇのボックスにチェック記号が表示されていれば「１」が、チェック記号が表示されていなければ「０」が記憶される。
【００３５】
そして、クイック起動機能が有効にされると、ＬＣＤ１７、すなわち、タッチスクリーン１６に、図８に示されるようなクイック起動設定画面が表示される。該クイック起動設定画面には、「クイック起動設定」の表示及び「起動用ポイントをタッチしてください。」の表示がされるとともに、クイック起動設定画面が１６個の領域に分割され、入力キーとしての起動用ポイント「１」〜「１６」がタッチスクリーン１６上に形成される。なお、必要に応じてクイック起動設定画面を１６個以外の任意の複数の領域に分割することができる。
【００３６】
そこで、操作者が起動用ポイント「１」〜「１６」のうちの一つを押すと、押下位置がＸＹ座標に変換され、ＸＹ座標がマイクロコンピュータ１１内の図示されないＣＰＵに送られる。該ＣＰＵは、押された起動用ポイントをＸＹ座標に基づいて算出し、該起動用ポイントを表す数字をクイック起動値として設定し、ＲＡＭ１３に格納する。例えば、起動用ポイント「１」が押されると、クイック起動値として「１」が設定され、ＲＡＭ１３に記憶されるとともに、電源遮断フラグとして「１」が記憶される。
【００３７】
なお、正当な操作者が正しく操作したときだけクイック起動機能によって携帯端末を起動することができるように、前記ＲＡＭ１３には、電源遮断フラグを記憶するための領域が形成され、電源遮断フラグとして、クイック起動機能が有効にされた直後に「１」が記憶され、その後、電源１４の投入に伴って携帯端末が正しく操作された場合に「１」が記憶され、正しく操作されない場合に「０」が記憶される。
【００３８】
次に、クイック起動機能によって携帯端末を起動する方法について説明する。
【００３９】
本実施の形態においては、クイック起動機能を有効にしたときに設定された起動用ポイントを押しながら電源スイッチ２２をオンにして電源１４を投入することによって、携帯端末を起動することができるようになっている。
【００４０】
まず、操作者が、前記起動用ポイントを押しながら電源１４を投入すると、ＣＰＵは、ＲＡＭ１３からクイック起動設定フラグを読み出し、該クイック起動設定フラグが「１」であるか「０」であるかを判断することによって、クイック起動機能が有効にされているかどうかを判断する。前記クイック起動設定フラグが「１」である場合、クイック起動機能が有効にされているので、ＣＰＵは、ＲＡＭ１３から電源遮断フラグを読み出し、電源遮断フラグが「１」であるか「０」であるかを判断する。そして、電源遮断フラグが「１」である場合、クイック起動機能が有効にされた直後であるか、又は、前回、携帯端末が正しく操作されているので、ＣＰＵは、操作者が正当な操作者であると判断する。
【００４１】
続いて、ＣＰＵは、セキュリティのために、前記電源遮断フラグを一旦（いったん）「０」にした後、いずれかの起動用ポイントが押されているかどうかを判断する。そして、いずれかの起動用ポイントが押されている場合、押下位置がＸＹ座標に変換され、ＸＹ座標がＣＰＵに送られる。該ＣＰＵは、押された起動用ポイントをＸＹ座標に基づいて算出するとともに、ＲＡＭ１３からクイック起動値を読み出し、算出された起動用ポイントを表す数字とクイック起動値とが一致するかどうかを判断する。そして、算出された起動用ポイントを表す数字とクイック起動値とが一致する場合、携帯端末が正しく操作されたので、ＣＰＵは電源遮断フラグを再び「１」にして、タッチスクリーン１６に暗証番号入力画面の前の画面を表示する。このようにして、携帯端末は起動され、使用可能な状態にされる。
【００４２】
一方、クイック起動設定フラグが「０」である場合、クイック起動機能が有効にされていないので、ＣＰＵは、暗証番号の数字を入力するためにＲＡＭ１３から暗証番号設定フラグを読み出し、暗証番号設定フラグが「１」であるか「０」であるかを判断する。そして、暗証番号設定フラグが「１」である場合、ＣＰＵは、タッチスクリーン１６に暗証番号入力画面を表示する。
【００４３】
続いて、操作者が、数字キーを押して暗証番号の数字を入力すると、ＣＰＵは、ＲＡＭ１３から暗証番号値を読み出し、該暗証番号値に基づいて暗証番号が正しいかどうかを判断する。暗証番号が正しい場合、ＣＰＵは、電源遮断フラグを「１」にするとともに、タッチスクリーン１６に暗証番号入力画面の前の画面を表示し、携帯端末を起動する。また、暗証番号が正しくない場合、ＣＰＵは、タッチスクリーン１６に暗証番号入力画面を再び表示する。なお、電源スイッチ２２をオンにして電源１４を投入したときに、ＲＡＭ１３から読み出した暗証番号設定フラグが「０」である場合、ＣＰＵは、タッチスクリーン１６に暗証番号入力画面の前の画面を表示する。
【００４４】
ところで、正当な操作者が、クイック起動機能が有効にされたときに設定された起動用ポイントと異なる起動用ポイントを押しながら電源１４を投入すると、算出された起動用ポイントを表す数字とクイック起動値とが一致しない。その場合、操作者は暗証番号の数字を入力する。
【００４５】
この場合、携帯端末が操作されている間、電源遮断フラグは「０」のままになるが、その後、操作者が携帯端末を正しく操作して暗証番号の数字を入力すると、電源遮断フラグは再び「１」にされる。
【００４６】
また、正当ではない操作者が、クイック起動機能が有効にされたときに設定された起動用ポイントと異なる起動用ポイントを押しながら電源１４を投入すると、算出された起動用ポイントを表す数字とクイック起動値とが一致しない。その場合、操作者は、暗証番号の数字を入力することになるが、入力された数字と暗証番号値とが一致しない限り、タッチスクリーン１６に暗証番号入力画面が表示されたままになる。
【００４７】
この場合、携帯端末が操作されている間、電源遮断フラグは「０」のままになるので、クイック起動機能によって暗証番号を入力することはできない。
【００４８】
このように、あらかじめ設定された起動用ポイントを押しながら電源１４を投入するだけで暗証番号の数字を入力することができる。
【００４９】
したがって、電力の消費量を少なくするために、頻繁に電源１４を遮断する必要がある場合、電源１４を投入するたびに数字キーを押して暗証番号の数字を入力する必要がなくなるだけでなく、電源１４を投入してから携帯端末が起動されるまでに時間がかからないので、操作性を良くすることができる。
【００５０】
次に、フローチャートについて説明する。
ステップＳ１１  クイック起動設定フラグが１であるかどうかを判断する。クイック起動設定フラグが１である場合はステップＳ１２に、１でない場合はステップＳ１９に進む。
ステップＳ１２  電源遮断フラグが１であるかどうかを判断する。電源遮断フラグが１である場合はステップＳ１３に、１でない場合はステップＳ１９に進む。
ステップＳ１３  電源遮断フラグを０にする。
ステップＳ１４  起動用ポイントが押されているかどうかを判断する。起動用ポイントが押されている場合はステップＳ１５に、押されていない場合はステップＳ１９に進む。
ステップＳ１５  起動用ポイントを算出する。
ステップＳ１６  起動用ポイントを表す数字とクイック起動値とが一致するかどうかを判断する。起動用ポイントを表す数字とクイック起動値とが一致する場合はステップＳ１７に、一致しない場合はステップＳ１９に進む。
ステップＳ１７  電源遮断フラグを１にする。
ステップＳ１８  暗証番号入力画面の前の画面を表示する。
ステップＳ１９  暗証番号設定フラグが１であるかどうかを判断する。暗証番号設定フラグが１である場合はステップＳ２０に、１でない場合はステップＳ１８に進む。
ステップＳ２０  暗証番号入力画面を表示する。
ステップＳ２１  暗証番号が正しいかどうかを判断する。暗証番号が正しい場合はステップＳ２２に進み、正しくない場合にはステップＳ２０に戻る。
ステップＳ２２  電源遮断フラグを１にし、ステップＳ１８に進む。
【００５１】
次に、本発明の第２の実施の形態について説明する。なお、第１の実施の形態と同じ構造を有するものについては、同じ符号を付与することによってその説明を省略する。
【００５２】
図１０は本発明の第２の実施の形態におけるキーボードタイプの携帯端末の暗証番号登録画面の例を示す図、図１１は本発明の第２の実施の形態におけるキーボードタイプの携帯端末のクイック起動設定画面の例を示す図、図１２は本発明の第２の実施の形態におけるキーボードタイプの携帯端末の暗証番号を入力する際の動作を示すフローチャートである。なお、この場合、出力装置として、タッチスクリーン１６（図７）は配設されず、ＬＣＤ１７だけが配設される。
【００５３】
図において、ａ１は暗証番号にするために入力された符号、例えば、数字を表示する欄、ｂ１は確認のために再入力された数字を表示する欄、ｄ１は電源１４を投入する際に、暗証番号機能を有効にするかどうかを設定するための欄、ｇ１はクイック起動機能を有効にするかどうかを設定するための欄である。そして、欄ｄ１には、「起動時に暗証番号を入力」の表示がされるとともに、暗証番号機能が有効であることを表すチェック記号を表示するためのボックスが形成される。また、欄ｇ１には、「暗証入力にクイック起動を使用」の表示がされるとともに、クイック起動機能が有効であることを表すチェック記号を表示するためのボックスが形成される。なお、この場合、キーボード２１が使用され、該キーボード２１は入力キーとして、数字キー、英字キー、仮名キー、記号キー、Ｅｎｔｅｒキー等を備える。
【００５４】
前記構成のキーボードタイプの端末装置としての携帯端末において、まず、操作者が、キーボード２１の数字キーを押して所定の桁数（一般に４桁程度）の数字を入力すると、入力された数字が欄ａ１に表示される。続いて、操作者が、確認のために、前記数字キーを押して欄ａ１に表示された数字と同じ数字を入力すると、入力された数字が欄ｂ１に表示される。このとき、欄ａ１及びｂ１に表示された数字が異なる場合、操作者は再び最初から同じ操作を行う。
【００５５】
続いて、操作者がキーボード２１のＥｎｔｅｒキーを押すと、欄ｄ１のボックスにチェック記号が表示され、欄ａ１及びｂ１に表示された同じ数字が暗証番号として登録される。このとき、該暗証番号はＲＡＭ１３に格納されるとともに、暗証番号機能が有効にされる。
【００５６】
さらに、操作者が前記Ｅｎｔｅｒキーを押すと、欄ｇ１のボックスにチェック記号が表示され、クイック起動機能が有効にされる。そのために、前記ＲＡＭ１３には、クイック起動値及びクイック起動設定フラグを記憶するための領域が形成され、クイック起動値として、暗証キーが記憶され、クイック起動設定フラグとして、前記欄ｇ１のボックスにチェック記号が表示されていれば「１」が、チェック記号が表示されていなければ「０」が記憶される。
【００５７】
そして、クイック起動機能が有効にされると、図１１に示されるようなクイック起動設定画面が表示される。該クイック起動設定画面には、「暗証キー確認」の表示、及び「起動用キーを押下してください。（併押下可能な１〜３キー）」の表示がされる。
【００５８】
そこで、操作者がキーボード２１の１〜３個の数字キー又は英字キーを同時に押した後、Ｅｎｔｅｒキーを押すと、同時に押された数字キー又は英字キーのコードがＣＰＵに送られる。該ＣＰＵは、前記コードに基づいて暗証キーを設定し、該暗証キーをクイック起動値としてＲＡＭ１３に格納する。例えば、英字キー「Ａ」、「Ｂ」が同時に押されると、暗証キーとして「Ａ」、「Ｂ」が設定され、ＲＡＭ１３にクイック起動値として「Ａ」、「Ｂ」が記憶されるとともに、電源遮断フラグとして「１」が記憶される。
【００５９】
次に、クイック起動機能によって携帯端末を起動する方法について説明する。
【００６０】
本実施の形態においては、クイック起動機能を有効にしたときに設定された暗証キーを押しながら電源スイッチ２２をオンにして電源１４を投入することによって、携帯端末を起動することができるようになっている。
【００６１】
まず、操作者が、前記暗証キーを押しながら電源１４を投入すると、ＣＰＵは、ＲＡＭ１３からクイック起動設定フラグを読み出し、該クイック起動設定フラグが「１」であるか「０」であるかを判断することによって、クイック起動機能が有効にされているかどうかを判断する。前記クイック起動設定フラグが「１」である場合、クイック起動機能が有効にされているので、ＣＰＵは、ＲＡＭ１３から電源遮断フラグを読み出し、電源遮断フラグが「１」であるか「０」であるかを判断する。そして、電源遮断フラグが「１」である場合、クイック起動機能が有効にされた直後であるか、又は、前回、携帯端末が正しく操作されているので、ＣＰＵは、操作者が正当な操作者であると判断する。
【００６２】
続いて、ＣＰＵは、セキュリティのために、前記電源遮断フラグを一旦「０」にした後、いずれかの数字キー又は英字キーが同時に押されているかどうかを判断する。そして、いずれかの数字キー又は英字キーが同時に押されている場合、同時に押されている数字キー又は英字キーのコードがＣＰＵに送られる。該ＣＰＵは、暗証キーをコードに基づいて算出するとともに、ＲＡＭ１３からクイック起動値を読み出し、算出された暗証キーとクイック起動値とが一致するかどうかを判断する。そして、算出された暗証キーとクイック起動値とが一致する場合、携帯端末が正しく操作されたので、ＣＰＵは電源遮断フラグを再び「１」にして、ＬＣＤ１７に暗証番号入力画面の前の画面を表示する。このようにして、携帯端末は起動され、使用可能な状態にされる。
【００６３】
一方、クイック起動設定フラグが「０」である場合、クイック起動機能が有効にされていないので、ＣＰＵは、暗証番号の数字を入力するためにＲＡＭ１３から暗証番号設定フラグを読み出し、暗証番号設定フラグが「１」であるか「０」であるかを判断する。そして、暗証番号設定フラグが「１」である場合、ＣＰＵは、ＬＣＤ１７に暗証番号入力画面を表示する。
【００６４】
続いて、操作者が、数字キーを押して暗証番号の数字を入力すると、ＣＰＵは、ＲＡＭ１３から暗証番号値を読み出し、該暗証番号値に基づいて暗証番号が正しいかどうかを判断する。暗証番号が正しい場合、ＣＰＵは、電源遮断フラグを「１」にするとともに、ＬＣＤ１７に暗証番号入力画面の前の画面を表示し、暗証番号が正しくない場合、ＣＰＵは、ＬＣＤ１７に暗証番号入力画面を再び表示する。なお、電源スイッチ２２をオンにして電源１４を投入したときに、ＲＡＭ１３から読み出した暗証番号設定フラグが「０」である場合、ＣＰＵは、ＬＣＤ１７に暗証番号入力画面の前の画面を表示する。
【００６５】
このように、あらかじめ設定された暗証キーに対応する数字キー又は英字キーを同時に押しながら電源１４を投入するだけで携帯端末を起動することができる。
【００６６】
したがって、電力の消費量を少なくするために、頻繁に電源１４を遮断する必要がある場合、電源１４を投入するたびに数字キーを押して暗証番号の数字を入力する必要がなくなるだけでなく、電源１４を投入してから携帯端末が起動されるまでに時間がかからないので、操作性を良くすることができる。
【００６７】
次に、フローチャートについて説明する。
ステップＳ３１  クイック起動設定フラグが１であるかどうかを判断する。クイック起動設定フラグが１である場合はステップＳ３２に、１でない場合はステップＳ３９に進む。
ステップＳ３２  電源遮断フラグが１であるかどうかを判断する。電源遮断フラグが１である場合はステップＳ３３に、１でない場合はステップＳ３９に進む。
ステップＳ３３  電源遮断フラグを０にする。
ステップＳ３４  いずれかの数字キー又は英字キーが同時に押されているかどうかを判断する。いずれかの数字キー又は英字キーが同時に押されている場合はステップＳ３５に、同時に押されていない場合はステップＳ３９に進む。
ステップＳ３５  暗証キーを算出する。
ステップＳ３６  暗証キーとクイック起動値とが一致するかどうかを判断する。暗証キーとクイック起動値とが一致する場合はステップＳ３７に、一致しない場合はステップＳ３９に進む。
ステップＳ３７  電源遮断フラグを１にする。
ステップＳ３８  暗証番号入力画面の前の画面を表示する。
ステップＳ３９  暗証番号設定フラグが１であるかどうかを判断する。暗証番号設定フラグが１である場合はステップＳ４０に、１でない場合はステップＳ３８に進む。
ステップＳ４０  暗証番号入力画面を表示する。
ステップＳ４１  暗証番号が正しいかどうかを判断する。暗証番号が正しい場合はステップＳ４２に進み、正しくない場合にはステップＳ４０に戻る。
ステップＳ４２  電源遮断フラグを１にし、ステップＳ３８に進む。
【００６８】
次に、電源１４を遮断するときにクイック起動値を更新することができるようにした本発明の第３の実施の形態について説明する。なお、第１の実施の形態と同じ構造を有するものについては、同じ符号を付与することによってその説明を省略する。
【００６９】
図１３は本発明の第３の実施の形態におけるタッチスクリーンタイプの携帯端末の暗証番号登録画面の例を示す図、図１４は本発明の第３の実施の形態におけるタッチスクリーンタイプの携帯端末のクイック起動値を更新する際の動作を示すフローチャートである。
【００７０】
この場合、ｈは電源１４（図７）を遮断するときにクイック起動値を更新するクイック起動値更新機能を有効にするかどうかを設定するための欄である。そして、欄ｈには、「電源遮断時にクイック起動値を更新」の表示がされるとともに、クイック起動値変更機能が有効であることを表すチェック記号を表示するためのボックスが形成される。そのために、ＲＡＭ１３には、クイック起動値更新フラグを記憶するための領域が形成され、クイック起動値更新フラグとして、前記欄ｈのボックスにチェック記号が表示されていれば「１」が、チェック記号が表示されていなければ「０」が記憶される。
【００７１】
そして、クイック起動値更新機能が有効にされると、現在の起動用ポイントと異なる起動用ポイントを押しながら電源１４を遮断すると、新しい起動用ポイントを設定することができる。
【００７２】
次に、クイック起動値を更新するための動作について説明する。
【００７３】
まず、操作者が所定の起動用ポイントを押しながら、電源スイッチ２２をオフにして電源１４を遮断すると、ＣＰＵは、ＲＡＭ１３からクイック起動設定フラグを読み出し、該クイック起動設定フラグが「１」であるか「０」であるかを判断することによって、クイック起動機能が有効にされているかどうかを判断する。そして、クイック起動設定フラグが「１」である場合、クイック起動機能が有効にされているので、ＣＰＵは、ＲＡＭ１３からクイック起動値更新フラグを読み出し、該クイック起動値更新フラグが「１」であるか「０」であるかを判断することによって、クイック起動値更新機能が有効にされているかどうかを判断する。前記クイック起動値更新フラグが「１」である場合、クイック起動値更新機能が有効にされているので、ＣＰＵは、いずれかの起動用ポイントが押されているかどうかを判断する。そして、いずれかの起動用ポイントが押されている場合、押下位置がＸＹ座標に変換され、ＸＹ座標がＣＰＵに送られる。該ＣＰＵは、押された起動用ポイントをＸＹ座標に基づいて算出するとともに、該起動用ポイントを設定し、クイック起動値を更新してＲＡＭ１３に格納する。
【００７４】
なお、操作者が所定の起動用ポイントを押すことなく電源１４を遮断する場合、クイック起動値は更新されない。また、携帯端末に電源１４を自動的に遮断する機能が設定されているときも、クイック起動値は更新されない。
【００７５】
このように、操作者が所定の起動用ポイントを押しながら電源１４を遮断するだけで、クイック起動値を容易に更新することができるので、操作性を一層良くすることができる。
【００７６】
次に、フローチャートについて説明する。
ステップＳ５１  クイック起動設定フラグが１であるかどうかを判断する。クイック起動設定フラグが１である場合はステップＳ５２に進み、１でない場合は処理を終了する。
ステップＳ５２  クイック起動値更新フラグが１であるかどうかを判断する。クイック起動値更新フラグが１である場合はステップＳ５３に進み、１でない場合は処理を終了する。
ステップＳ５３  起動用ポイントが押されているかどうかを判断する。起動用ポイントが押されている場合はステップＳ５４に、押されていない場合は処理を終了する。
ステップＳ５４  起動用ポイントを算出する。
ステップＳ５５  クイック設定値を更新する。
【００７７】
次に、本発明の第４の実施の形態について説明する。なお、第２の実施の形態と同じ構造を有するものについては、同じ符号を付与することによってその説明を省略する。
【００７８】
図１５は本発明の第４の実施の形態におけるキーボードタイプの携帯端末の暗証番号登録画面の例を示す図、図１６は本発明の第４の実施の形態におけるキーボードタイプの携帯端末のクイック起動値を更新する際の動作を示すフローチャートである。
【００７９】
この場合、ｈ１は電源１４（図７）を遮断するときにクイック起動値を更新するクイック起動値更新機能を有効にするかどうかを設定するための欄である。そして、欄ｈ１には、「電源遮断時にクイック起動値を更新」の表示がされるとともに、クイック起動値変更機能が有効であることを表すチェック記号を表示するためのボックスが形成される。そのために、ＲＡＭ１３には、クイック起動値更新フラグを記憶するための領域が形成され、クイック起動値更新フラグとして、前記欄ｈ１のボックスにチェック記号が表示されていれば「１」が、チェック記号が表示されていなければ「０」が記憶される。
【００８０】
そして、クイック起動値更新機能が有効にされると、現在の暗証キーと異なる数字キー又は英字キーを同時に押しながら電源１４を遮断すると、新しい暗証キーを設定することができる。
【００８１】
次に、クイック起動値を更新するための動作について説明する。
【００８２】
まず、操作者が所定の数字キー又は英字キーを同時に押しながら、電源スイッチ２２をオフにして電源１４を遮断すると、ＣＰＵは、ＲＡＭ１３からクイック起動設定フラグを読み出し、クイック起動設定フラグが「１」であるか「０」であるかを判断することによって、クイック起動機能が有効にされているかどうかを判断する。そして、クイック起動設定フラグが「１」である場合、クイック起動機能が有効にされているので、ＣＰＵは、ＲＡＭ１３からクイック起動値更新フラグを読み出し、該クイック起動値更新フラグが「１」であるか「０」であるかを判断することによって、クイック起動値更新機能が有効にされているかどうかを判断する。前記クイック起動値更新フラグが「１」である場合、クイック起動値更新機能が有効にされているので、ＣＰＵは、いずれかの数字キー又は英字キーが同時に押されているかどうかを判断する。そして、いずれかの数字キー又は英字キーが同時に押されている場合、同時に押されている数字キー又は英字キーのコードがＣＰＵに送られる。該ＣＰＵは、暗証キーをコードに基づいて算出するとともに、該暗証キーを設定し、クイック起動値を更新してＲＡＭ１３に格納する。
【００８３】
なお、操作者が所定の数字キー又は英字キーを同時に押すことなく電源１４を遮断する場合、クイック起動値は更新されない。また、携帯端末に電源１４を自動的に遮断する機能が設定されているときも、クイック起動値は更新されない。
【００８４】
このように、操作者が所定の数字キー又は英字キーを同時に押しながら電源１４を遮断するだけで、クイック起動値を容易に更新することができるので、操作性を一層良くすることができる。
【００８５】
次に、フローチャートについて説明する。
ステップＳ６１  クイック起動設定フラグが１であるかどうかを判断する。クイック起動設定フラグが１である場合はステップＳ６２に進み、１でない場合は処理を終了する。
ステップＳ６２  クイック起動値更新フラグが１であるかどうかを判断する。クイック起動値更新フラグが１である場合はステップＳ６３に進み、１でない場合は処理を終了する。
ステップＳ６３  いずれかの数字キー又は英字キーが同時に押されているかどうかを判断する。いずれかの数字キー又は英字キーが同時に押されている場合はステップＳ６４に進み、同時に押されていない場合は処理を終了する。
ステップＳ６４  暗証キーを算出する。
ステップＳ６５  クイック設定値を更新する。
【００８６】
前記各実施の形態においては、暗証番号を表す符号として数字を使用しているが、数字以外の英字、仮名、記号等を使用することもできる。この場合、タッチスクリーンタイプの携帯端末においては、暗証番号登録画面に数字キーのほかに英字、仮名、記号等を表示する欄を配設する必要がある。
【００８７】
また、各実施の形態においては、暗証番号設定フラグ、クイック起動設定フラグ、電源遮断フラグ、クイック起動値更新フラグ、暗証番号値、クイック起動値等をＲＡＭ１３に記憶するようにしているが、電気的に消去可能なＥＥＰＲＯＭに記憶することもできる。
【００８８】
なお、本発明は前記実施の形態に限定されるものではなく、本発明の趣旨に基づいて種々変形させることが可能であり、それらを本発明の範囲から排除するものではない。
【００８９】
【発明の効果】
以上詳細に説明したように、本発明によれば、端末装置においては、複数の入力キーを押しながら電源が遮断されたかどうかを判断する手段と、複数の入力キーを押しながら電源が遮断された場合、タッチスクリーンタイプの端末操作の場合は前記各入力キーの押下位置の座標を利用し、キーボードを備えた端末装置の場合は押された入力キーに対応するコードを利用してクイック起動値を更新する手段と、複数の入力キーを押しながら電源が投入されたかどうかを判断する手段と、複数の入力キーを押しながら電源が投入された場合、電源遮断フラグが、端末装置が正しく操作されたことを表す値であるかどうかを判断する手段と、前記電源遮断フラグが、端末装置が正しく操作されたことを表す値でない場合、前記各入力キーによって表される数字と前記クイック起動値とが一致するかどうかの判断を行わず、前記電源遮断フラグが、端末装置が正しく操作されたことを表す値である場合、電源遮断フラグを、端末装置が正しく操作されたことを表さない値にする手段と、前記各入力キーによって表される数字と前記クイック起動値とが一致するかどうかを判断する手段と、前記各入力キーによって表される数字と前記クイック起動値とが一致する場合、端末装置が正しく操作されたことを表さない値にされた電源遮断フラグを、端末装置が正しく操作されたことを表す値にする手段と、前記電源遮断フラグが、端末装置が正しく操作されたことを表す値であり、前記各入力キーによって表される数字と前記クイック起動値とが一致すると判断されたときに、端末装置を起動する手段とを有する。
【００９０】
この場合、複数の入力キーを押しながら電源が投入されると、前記各入力キーによって表される数字とあらかじめ設定されたクイック起動値とが一致するかどうかが判断され、前記各入力キーによって表される数字とあらかじめ設定されたクイック起動値とが一致する場合に端末装置が起動される。
【００９１】
したがって、あらかじめ設定された入力キーを押しながら電源を投入するだけで端末装置を起動することができる。
【００９２】
また、電力の消費量を少なくするために、頻繁に電源を遮断する必要がある場合、電源を投入するたびに入力キーを押して暗証番号の符号を入力する必要がなくなるだけでなく、電源を投入してから端末装置が起動されるまでに時間がかからないので、操作性を良くすることができる。
【図面の簡単な説明】
【図１】本発明の第１の実施の形態におけるタッチスクリーンタイプの携帯端末の暗証番号登録画面の例を示す図である。
【図２】従来のタッチスクリーンタイプの携帯端末の暗証番号登録画面の例を示す図である。
【図３】従来のキーボードタイプの携帯端末の暗証番号登録画面の例を示す図である。
【図４】従来のタッチスクリーンタイプの携帯端末の暗証番号入力画面の例を示す図である。
【図５】従来のタッチスクリーンタイプの携帯端末の暗証番号を入力する際の動作を示すフローチャートである。
【図６】従来のキーボードタイプの携帯端末の暗証番号入力画面の例を示す図である。
【図７】本発明の第１の実施の形態における携帯端末のブロック図である。
【図８】本発明の第１の実施の形態におけるタッチスクリーンタイプの携帯端末のクイック起動設定画面の例を示す図である。
【図９】本発明の第１の実施の形態におけるタッチスクリーンタイプの携帯端末の暗証番号を入力する際の動作を示すフローチャートである。
【図１０】発明の第２の実施の形態におけるキーボードタイプの携帯端末の暗証番号登録画面の例を示す図である。
【図１１】本発明の第２の実施の形態におけるキーボードタイプの携帯端末のクイック起動設定画面の例を示す図である。
【図１２】本発明の第２の実施の形態におけるキーボードタイプの携帯端末の暗証番号を入力する際の動作を示すフローチャートである。
【図１３】本発明の第３の実施の形態におけるタッチスクリーンタイプの携帯端末の暗証番号登録画面の例を示す図である。
【図１４】本発明の第３の実施の形態におけるタッチスクリーンタイプの携帯端末のクイック起動値を更新する際の動作を示すフローチャートである。
【図１５】本発明の第４の実施の形態におけるキーボードタイプの携帯端末の暗証番号登録画面の例を示す図である。
【図１６】本発明の第４の実施の形態におけるキーボードタイプの携帯端末のクイック起動値を更新する際の動作を示すフローチャートである。
【符号の説明】
１４    電源
１６    タッチスクリーン
２１    キーボード
【図１】
0004123630.tif 000002
【図２】
0004123630.tif 000003
【図３】
0004123630.tif 000004
【図４】
0004123630.tif 000005
【図５】
0004123630.tif 000006
【図６】
0004123630.tif 000007
【図７】
0004123630.tif 000008
【図８】
0004123630.tif 000009
【図９】
0004123630.tif 000010
【図１０】
0004123630.tif 000011
【図１１】
0004123630.tif 000012
【図１２】
0004123630.tif 000013
【図１３】
0004123630.tif 000014
【図１４】
0004123630.tif 000015
【図１５】
0004123630.tif 000016
【図１６】
0004123630.tif 000017